(57)【要約】【課題】生鮮食料品店の店頭に食品パックに一体化して陳列することで、料理訴求による販売促進させる調味料付ラベルを提供することにある。【解決手段】本考案は、食材Ｆを収容したトレイラップ商品１００に貼付する調味料付ラベル１０であって、食材Ｆに関係する調味料パック３０を収容する透明の袋部２０と、この袋部２０の後面部に設けられ、トレイラップ商品１００に接着される両面テープ２２と、袋部２０の開口部を閉じると共に、トレイラップ商品１００に接着するシール部４０とを備えている。【選択図】図１
0003233284.tif 000002
【実用新案登録請求の範囲】
【請求項１】
食材を収容した食品パックに貼付する調味料付ラベルにおいて、
前記食材に関係する調味料を収容する少なくとも前面部が透明に形成された袋部と、
この袋部の後面部に設けられ、前記食品パックに接着される粘着部と、
前記袋部の開口部を閉じると共に、前記食品パックに接着するシール部とを備えていることを特徴とする調味料付ラベル。
【請求項２】
前記調味料の前記袋部の前面部に対向する面には、前記調味料に関する情報が表示されていることを特徴とする請求項１に記載の調味料付ラベル。
【請求項３】
前記袋部には、前記食材について前記調味料を使用する説明文が記載された冊子が封入されていることを特徴とする請求項１に記載の調味料付ラベル。
【請求項４】
前記食品パックは、前記食材を載置するトレイと、このトレイの開口に掛け渡された透明のラップ部材により形成されていることを特徴とする請求項１に記載の調味料付ラベル。
【考案の詳細な説明】
【技術分野】
【０００１】
本考案は、食品パックに貼付する調味料付ラベルに関するものである。
【背景技術】
【０００２】
生鮮食料品店等における販売促進手法として、低価格を謳う等の価格訴求や、おすすめ素材（精肉・鮮魚）の料理方法を提案する等の料理訴求等の様々な手法が採られている。料理訴求においては、例えば、「レシピカードの配布」、「ＰＯＰ設置」、「チラシへの掲載」、「無料調味料の配布」、「販売員による説明」、「試食マネキン販売」等が実施されており、特に、「販売員による料理メニュー提案」は有効である。
【０００３】
なお、商品に情報が印刷された販売促進用の貼着ラベルについては、様々なものが知られている（例えば、特許文献１参照。）。
【先行技術文献】
【特許文献】
【０００４】
【特許文献１】特開２０１９−１８５０３２号公報
【考案の概要】
【考案が解決しようとする課題】
【０００５】
上述したような料理訴求による販売促進方法にあっては、次のような問題があった。すなわち、衛生管理上や人件費の問題から「試食マネキン販売」や「販売員による料理メニュー提案」が縮小傾向にある。このため、料理メニュー提案が来店客に十分に認識されておらず、訴求力が低下していた。なお、販売促進用の貼着ラベルと小袋調味料を別々に貼付販売するケースはあるが、販売員の作業負荷が大きいという問題もあった。
【０００６】
一方、予め調味料を食品に加えて販売することで、料理訴求する方法も考えられるが、食品加工作業が加わることになり、人件費がかかるという問題があった。
【０００７】
本考案は、このような課題に鑑みてなされたものであり、その目的とするところは、料理訴求による販売促進を販売員の力に頼ることなく実施することができる調味料付ラベルを提供することにある。
【課題を解決するための手段】
【０００８】
本考案は、食材を収容した食品パックに貼付する調味料付ラベルにおいて、前記食材に関係する調味料を収容する少なくとも前面部が透明に形成された袋部と、この袋部の後面部に設けられ、前記食品パックに接着される粘着部と、前記袋部の開口部を閉じると共に、前記食品パックに接着するシール部とを備えている。
【考案の効果】
【０００９】
本考案の調味料付ラベルによれば、料理訴求による販売促進を実施することが可能となる。
【図面の簡単な説明】
【００１０】
【図１】本考案の実施形態である調味料付ラベルが貼付されたトレイラップ商品を示す上面図である。
【図２】同調味料付ラベルを示す斜視図である。
【図３】同調味料付ラベルの袋部を示す斜視図である。
【図４】一般的なトレイラップ商品を示す上面図である。
【考案を実施するための形態】
【００１１】
以下、図面を参照しつつ本考案の実施形態について説明する。  
図１は本考案の実施形態である調味料付ラベル１０が貼付されたトレイラップ商品１００を示す上面図、図２は調味料付ラベル１０を示す斜視図、図３は調味料付ラベル１０の袋部２０を示す斜視図、図４は調味料付ラベル１０を示す平面図である。なお、図１中Ｆは食品、図２中Ｄは台紙を示している。
【００１２】
図１に示すように、トレイラップ商品（食品パック）１００は、発泡スチロール製で浅皿状のトレイ１１０と、このトレイ１１０の開口に掛け渡された透明のラップ材１２０と、このラップ材１２０に貼付された商品ラベル１３０とを備えている。
【００１３】
ラップ材１２０の表面には、調味料付ラベル１０が貼付されている。調味料付ラベル１０は、ポリプロピレン製の透明の袋部２０を備えている。袋部２０には、調味料パック３０が収容されている。調味料パック３０には、食品Ｆに関係する試供品である調味料（例えば、食品Ｆが豚肉だった場合、生姜焼のたれ）が収容され、前面側に調味料に関する情報（例えば、「生姜焼のたれ」の表示）が、後面側に内容やレシピ等の情報が表示されている。
【００１４】
袋部２０は、さらにシール部４０によってラップ材１２０に、後述する袋部２０の糊付蓋２１を閉じた状態で接着されている。シール部４０には、トレイラップ商品１００の食材Ｆに関する情報が表示されている。
【００１５】
次に、このような調味料付ラベル１０の使用方法について説明する。
【００１６】
図２に示すように、調味料付ラベル１０は、例えば剥離用の台紙Ｄにシール部４０の粘着力で仮接着されている。この調味料付ラベル１０は、生鮮食料品店に食品Ｆとは別に供給され、保管されている。
【００１７】
図３に示すように、袋部２０の開口部は、糊付蓋２１で開閉可能となっており、調味料パック３０が収容され、糊付蓋２１によって閉じられている。袋部２０の後面部には両面テープ２２が取り付けられている。両面テープ２２の表面２２ａは接着面となっており、袋部２０の後面部に接着されている。裏面２２ｂは接着面となっており、使用前は剥離紙が取り付けられている。
【００１８】
生鮮食料品店等では、図４に示すようなトレイラップ商品１００が準備されており、計量等が行われた後、商品ラベル１３０が貼付される。次に、生鮮食料品店の店員等によって、台紙Ｄに貼られた調味料付ラベル１０が剥がされる。さらに、袋部２０の両面テープ２２の剥離紙が剥がされ、接着面である裏面２２ｂがラップ材１２０の表面に接着される。さらに、シール部４０によって、糊付蓋２１の部分を覆うようにして袋部２０をラップ材１２０に接着する。
【００１９】
このようにして、調味料付ラベル１０とトレイラップ商品１００が一体化され、生鮮食料品店等の商品棚に並べられる。調味料付ラベル１０が貼付されたトレイラップ商品１００は、食材Ｆそのものがラップ材１２０を通して見ることができると共に、その情報がシール部４０に表示されている。また、重量や加工日等は商品ラベル１３０によって確認できる。さらに、調味料付ラベル１０によって、調味料パック３０が貼付されていることから、食材Ｆを用いた調理イメージがつきやすく、顧客が購入しやすくなる販促効果を期待することができる。また、商品ブランド認知向上とともに、提案するレシピに使用する調味料（ソース、スパイスなど）のトライアル効果が期待できる。
【００２０】
以上、本考案の実施形態について説明したが、本考案はこれに限定されることなくその趣旨を逸脱しない範囲で種々の改良・変更が可能であることは勿論である。例えば、上述したパック商品としてトレイラップ商品を例示したが、他の種類の食品パックでも良い。また、袋部にはレシピ等を記載した冊子を封入してもよい。
【産業上の利用可能性】
【００２１】
本考案は、生鮮食料品店の店頭に食品パックに一体化して陳列することで、料理訴求による販売促進させる調味料付ラベルとして有効である。
【符号の説明】
【００２２】
１０…調味料付ラベル、２０…袋部、２１…糊付蓋、２２…両面テープ、２２ａ…表面、２２ｂ…裏面、３０…調味料パック、４０…シール部、１００…トレイラップ商品（食品パック）、１１０…トレイ、１２０…ラップ材、１３０…商品ラベル、Ｆ…食品、Ｄ…台紙。
【図１】
0003233284.tif 000003
【図２】
0003233284.tif 000004
【図３】
0003233284.tif 000005
【図４】
0003233284.tif 000006